(57)【要約】【課題】施工性の良い電源コードレスタイプのガス漏れ警報器およびガス漏れ警報器用アタッチメントを提供すること。【解決手段】ガス漏れ警報器は、ガス検知部を有するガス漏れ警報器本体１と、ガス漏れ警報器本体１に組み付けられるガス漏れ警報器用アタッチメント２０とからなり、ガス漏れ警報器本体１は、さらに、電源コネクタ１０と外部出力端子９とを有し、ガス漏れ警報器用アタッチメント２０は、電源コネクタ１０とジョイントされるコネクタ２５と、外部出力端子９とジョイントされる外部接続端子２６とを内蔵するアタッチメント本体２１と、コネクタ２５に電気的に接続され、アタッチメント本体２１から露出した電源プラグ２３とを備えており、電源コネクタ１０とコネクタ２５のジョイントおよび外部出力端子９と外部接続端子２６のジョイントによって電気的に結合されている。【選択図】図１
2005251072.tif 000002
【特許請求の範囲】
【請求項１】
ガス検知部を有するガス漏れ警報器本体と、前記ガス漏れ警報器本体に組み付けられるガス漏れ警報器用アタッチメントとからなり、
前記ガス漏れ警報器本体は、さらに、電源を供給するための電源コネクタと、外部連動機器との間で信号をやり取りするための外部出力端子とを有し、
前記ガス漏れ警報器用アタッチメントは、前記電源コネクタとジョイントされるコネクタと、前記外部出力端子とジョイントされる外部接続端子とを内蔵するアタッチメント本体と、前記コネクタに電気的に接続され、前記アタッチメント本体から露出した電源プラグとを備えており、
前記ガス漏れ警報器本体と前記ガス漏れ警報器用アタッチメントは、前記電源コネクタと前記コネクタのジョイントおよび前記外部出力端子と前記外部接続端子のジョイントによって電気的に結合されている
ことを特徴とするガス漏れ警報器。
【請求項２】
請求項１記載のガス漏れ警報器において、
前記ガス漏れ警報器用アタッチメントは、前記外部出力端子に電気的に接続され、前記信号を無線でやり取りするための無線連動回路と、前記電源プラグに電気的に接続され、前記無線連動回路に電源を供給するための電源回路とを内蔵している
ことを特徴とするガス漏れ警報器。
【請求項３】
請求項１または２記載のガス漏れ警報器において、
前記アタッチメント本体は、前記ガス漏れ警報器本体が載置される第１の外壁および該第１の外壁の途中に形成された段部と、前記第１の外壁と対向する第２の外壁とを有し、
前記電源プラグは、前記第２の外壁から露出するように設けられており、
前記コネクタおよび前記外部接続端子は、前記段部に配置されている
ことを特徴とするガス漏れ警報器。
【請求項４】
ガス検知部と、電源を供給するための電源コネクタと、外部連動機器との間で信号をやり取りするための外部出力端子とを有するガス漏れ警報器本体に組み付けて使用されるガス漏れ警報器用アタッチメントであって、
前記電源コネクタとジョイントされるコネクタと、前記外部出力端子とジョイントされる外部接続端子とを内蔵するアタッチメント本体と、前記コネクタに電気的に接続され、前記アタッチメント本体から露出した電源プラグとを備えており、
前記電源コネクタと前記コネクタのジョイントおよび前記外部出力端子と前記外部接続端子のジョイントによって前記ガス漏れ警報器本体に電気的に結合される
ことを特徴とするガス漏れ警報器用アタッチメント。
【請求項５】
請求項４記載のガス漏れ警報器用アタッチメントにおいて、
前記外部出力端子に電気的に接続され、前記信号を無線でやり取りするための無線連動回路と、前記電源プラグに電気的に接続され、前記無線連動回路に電源を供給するための電源回路とを内蔵している
ことを特徴とするガス漏れ警報器用アタッチメント。
【請求項６】
請求項４または５記載のガス漏れ警報器用アタッチメントにおいて、
前記アタッチメント本体は、前記ガス漏れ警報器本体が載置される第１の外壁および該第１の外壁の途中に形成された段部と、前記第１の外壁と対向する第２の外壁とを有し、
前記電源プラグは、前記第２の外壁から露出するように設けられており、
前記コネクタおよび前記外部接続端子は、前記段部に配置されている
ことを特徴とするガス漏れ警報器。
【発明の詳細な説明】
【技術分野】
【０００１】
本発明は、ガス漏れ警報器およびガス漏れ警報器用アタッチメントに関する。
【背景技術】
【０００２】
ガス漏れを検知して警報するためのガス漏れ警報器として、電源コードレスタイプのものがある。図６は、従来の電源コードレスタイプのガス漏れ警報器の一部を示す略図である。
【０００３】
図６に示す電源コードレスタイプのガス漏れ警報器では、ガス漏れ警報器に内蔵される配線板アッシー５１に電源コードレスタイプ専用の下ケースサブアッシー５２を組み付けることにより、電源コードレスタイプのガス漏れ警報器とすることができる。下ケースサブアッシー５２は、配線板アッシー５１に結合される下ケース５２ａと、下ケース５２ａ内に固定されるカバー５２ｂと、カバー５２ｂ部分から外部に露出する電源プラグ２３と、電源プラグ２３にネジ端子５２ｃで接続されたリード線５２ｄとからなる。リード線５２ｄは配線板アッシー５１の取付部５０ａに電気的に接続される。
【０００４】
なお、電源コードレスタイプのガス漏れ警報器の一例は、実開平５−８７６９２号公報（特許文献１）に開示されている。
【０００５】
また、ガス漏れ警報を無線で外部に送信することができる無線連動タイプのガス漏れ警報器もある。図７は、従来の無線連動タイプのガス漏れ警報器の略図である。
【０００６】
図７に示すように、無線連動タイプのガス漏れ警報器は、ガス漏れ警報器１の外部出力端子９と外付けの無線ユニット装置３０とを信号線３２等で接続し、無線ユニット装置３０自身の電源の供給は電源コード付き電源プラグ３１をＡＣ１００Ｖ電源に接続する。
【０００７】
なお、無線連動タイプのガス漏れ警報器の一例は、特開２００２−９２７７０号公報（特許文献２）に開示されている。
【特許文献１】実開平５−８７６９２号公報
【特許文献２】特開２００２−９２７７０号公報
【発明の開示】
【発明が解決しようとする課題】
【０００８】
しかしながら、上述のようにコードレス化する場合、ガス漏れ警報器として新たな下ケースおよびその他電源プラグ、カバー等の専用部品が必要となり、専用部品の使用、流動が共通化できないので、製品のコストアップとなる。
【０００９】
また、ガス漏れ警報器と外付けの無線ユニット装置とを信号線等で接続して無線連動タイプとする場合は、施工性が悪く、接続する手間がかかってしまう。
【００１０】
そこで本発明は、上述した従来の問題点に鑑み、施工性の良い電源コードレスタイプのガス漏れ警報器およびガス漏れ警報器用アタッチメントを提供することを目的としている。
【課題を解決するための手段】
【００１１】
請求項１記載の発明のガス漏れ警報器は、ガス検知部を有するガス漏れ警報器本体と、前記ガス漏れ警報器本体に組み付けられるガス漏れ警報器用アタッチメントとからなり、前記ガス漏れ警報器本体は、さらに、電源を供給するための電源コネクタと外部連動機器との間で信号をやり取りするための外部出力端子とを有し、前記ガス漏れ警報器用アタッチメントは、前記電源コネクタとジョイントされるコネクタと、前記外部出力端子とジョイントされる外部接続端子とを内蔵するアタッチメント本体と、前記コネクタに電気的に接続され、前記アタッチメント本体から露出した電源プラグとを備えており、前記ガス漏れ警報器本体と前記ガス漏れ警報器用アタッチメントは、前記電源コネクタと前記コネクタのジョイントおよび前記外部出力端子と前記外部接続端子のジョイントによって電気的に結合されていることを特徴とする。
【００１２】
請求項２記載の発明は、請求項１記載のガス漏れ警報器において、前記ガス漏れ警報器用アタッチメントは、前記外部出力端子に電気的に接続され、前記信号を無線でやり取りするための無線連動回路と、前記電源プラグに電気的に接続され、前記無線連動回路に電源を供給するための電源回路とを内蔵していることを特徴とする。
【００１３】
請求項３記載の発明は、請求項１または２記載のガス漏れ警報器において、前記アタッチメント本体は、前記ガス漏れ警報器本体が載置される第１の外壁および該第１の外壁の途中に形成された段部と、前記第１の外壁と対向する第２の外壁とを有し、前記電源プラグは、前記第２の外壁から露出するように設けられており、前記コネクタおよび前記外部接続端子は、前記段部に配置されていることを特徴とする。
【００１４】
請求項４記載の発明のガス漏れ警報器用アタッチメントは、ガス検知部と、電源を供給するための電源コネクタと、外部連動機器との間で信号をやり取りするための外部出力端子とを有するガス漏れ警報器本体に組み付けて使用されるガス漏れ警報器用アタッチメントであって、前記電源コネクタとジョイントされるコネクタと、前記外部出力端子とジョイントされる外部接続端子とを内蔵するアタッチメント本体と、前記コネクタに電気的に接続され、前記アタッチメント本体から露出した電源プラグとを備えており、前記電源コネクタと前記コネクタのジョイントおよび前記外部出力端子と前記外部接続端子のジョイントによって前記ガス漏れ警報器本体に電気的に結合されることを特徴とする。
【００１５】
請求項５記載の発明は、請求項４記載のガス漏れ警報器用アタッチメントにおいて、前記外部出力端子に電気的に接続され、前記信号を無線でやり取りするための無線連動回路と、前記電源プラグに電気的に接続され、前記無線連動回路に電源を供給するための電源回路とを内蔵していることを特徴とする。
【００１６】
請求項６記載の発明は、請求項４または５記載のガス漏れ警報器用アタッチメントにおいて、前記アタッチメント本体は、前記ガス漏れ警報器本体が載置される第１の外壁および該第１の外壁の途中に形成された段部と、前記第１の外壁と対向する第２の外壁とを有し、前記電源プラグは、前記第２の外壁から露出するように設けられており、前記コネクタおよび前記外部接続端子は、前記段部に配置されていることを特徴とする。
【発明の効果】
【００１７】
請求項１および４記載の発明によれば、ＡＣ１００Ｖ電源を接続できる電源コードレスタイプのガス漏れ警報器を構成することができ、電源コードレス化によるガス漏れ警報器の美観の向上および取付板レスで施工性の向上を図ることができる。また、外部接続端子を設けることで外部機器との連動が容易となる。
【００１８】
請求項２および５記載の発明によれば、無線連動機能を設けることで外部機器との連動が容易となる。
【００１９】
請求項３および６記載の発明によれば、ガス漏れ警報器本体とガス漏れ警報器用アタッチメントとを電気的かつ機械的に結合することができる。
【発明を実施するための最良の形態】
【００２０】
以下、本発明のガス漏れ警報器およびガス漏れ警報器用アタッチメントの実施の形態について図面を参照しながら説明する。
【００２１】
図１は、本発明のガス漏れ警報器の電気的構成を示すブロック図である。ガス漏れ警報器は、ガス漏れ警報器本体１と、このガス漏れ警報器１に組み付けられるガス漏れ警報器用アタッチメント２０とからなる。
【００２２】
ガス漏れ警報器本体１は、電源入力回路２、電源回路３、ガス検出回路４、マイコン回路５、表示回路６、ブザー／音声回路７および外部出力回路８にて構成されている。ＡＣ１００Ｖ電源が電源入力回路２に入力され、電源回路３からガス検出回路４およびマイコン回路５に電源電圧が供給される。
【００２３】
ガス漏れ警報器用アタッチメント２０は、無線連動回路２７および電源回路２８を備えている。ガス漏れ警報器本体１の電源入力回路２とガス漏れ警報器用アタッチメント２０の電源回路２８は、電源プラグ２３からＡＣ１００Ｖ電源が供給される。
【００２４】
また、ガス漏れ警報器本体１の外部出力回路８は、ガス漏れ警報器用アタッチメント２０の無線連動回路２７との間で外部出力信号の送受信を行うことができる。
【００２５】
次に、ガス漏れ警報器の構造について説明する。図２に示すように、ガス漏れ警報器は、ガス漏れ警報器本体１とガス漏れ警報器用アタッチメント２０とを組み付けて構成される。
【００２６】
ガス漏れ警報器本体１は、断面が矩形の箱状に形成されており、その前面１ａにガス検知部（図示しない）を有し、その下方に、外部出力回路８に接続された外部出力端子９と、電源コネクタ１０とを内蔵している。外部出力端子９と電源コネクタ１０は、ガス漏れ警報器本体１の外部に露出しており、それぞれ、後述する外部接続端子２６およびコネクタ２５と接続可能になっている。
【００２７】
また、ガス漏れ警報器用アタッチメント２０は、断面がＬ字状の箱形に形成されたアタッチメント本体２１を有する。アタッチメント本体２１は、第１の外壁２１ｂと、第１の外壁２１ｂの途中に形成された段部２１ａと、第１の外壁２１ｂと対向する第２の外壁２１ｃとを有する。アタッチメント本体２１は、段部２１ａと第１の外壁２１ｂとでガス漏れ警報器本体１の底面１ｃおよび裏面１ｂを支えるようになっている。ガス漏れ警報器本体１とガス漏れ警報器用アタッチメント２０は、それぞれ、組付け後に全体としてほぼ矩形箱状の外観となるような寸法とされている。
【００２８】
アタッチメント本体２１の第２の外壁２１ｃには、電源プラグ２３が露出するように電源コードレス構造が設けられている。また、アタッチメント本体２１には、電源プラグ２３と電源線２４で電気的に接続されたコネクタ２５と、外部接続端子２６と、無線連動回路２７を搭載した無線ユニット２７Ａと、電源回路２８を搭載した電源ユニット２８Ａとが備えられている。コネクタ２５と外部接続端子２６は、それぞれ、段部２１ａに設けられた開口部から露出しており、ガス漏れ警報器本体１の電源コネクタ１０および外部出力端子９にジョイントできるようになっている。電源コネクタ１０とコネクタ２５のジョイントおよび外部出力端子９と外部接続端子２６のジョイントは、ガス漏れ警報器本体１とガス漏れ警報器用アタッチメント２０とを電気的に接続すると共に、機械的に一体化するのにも役立っている。
【００２９】
次に、ガス漏れ警報器本体１とガス漏れ警報器用アタッチメント２０の組付け方法について、図３を参照しながら詳述する。
【００３０】
図３に示すように、ガス漏れ警報器本体１の底面１ｃがガス漏れ警報器用アタッチメント２０のアタッチメント本体２１の段部２１ａの開口部に差し込まれたとき、外部接続端子２６のピン端子２６ｂが外部出力端子９にジョイントされると共に、電源コネクタ１０の接続端子１０ａがコネクタ２５の挿入口２５ａに嵌合されてジョイントされることにより、それぞれ電気的かつ機械的に結合される。
【００３１】
それにより、ガス漏れ警報器本体１に内蔵されている各回路への電源は、ＡＣ１００Ｖ電源に接続される電源プラグ２３からコネクタ２５、電源コネクタ１０、電源入力回路２および電源回路３を介して供給される。
【００３２】
また、外部接続端子２６の出力端子２６ａに外部連動機器からの外部出力線３１が接続されることにより、外部接続端子２６および外部出力端子９と外部出力回路８とを介して、マイコン回路５と外部機器との間の信号のやり取りが可能となる。
【００３３】
このように、ガス漏れ警報器本体１をガス漏れ警報器用アタッチメント２０に差し込むだけで、ＡＣ１００Ｖ電源が供給され、電源コードレスタイプのガス漏れ警報器となる。また、アタッチメント本体２１に外部接続端子２６を設けているので、外部出力をガス漏れ警報器用アタッチメント２０から取り出すことができる。
【００３４】
さらに、図２に示すように、ガス漏れ警報器用アタッチメント２０のアタッチメント本体２１には、無線連動回路２７を搭載した無線ユニット２７Ａと、電源回路２８を搭載した電源ユニット２８Ａも内蔵されている。電源ユニット２８Ａは電源プラグ２３と電気的に接続されている。また、無線ユニット２７Ａは、電源ユニット２８Ａから電源が供給されると共に、搭載されている無線連動回路２７が外部接続端子２６に接続され、外部出力端子９を介して外部出力回路８との間で信号のやりとりができるようになっている。
【００３５】
このように、ガス漏れ警報器本体１の外部出力回路８とガス漏れ警報器用アタッチメント２０の無線連動回路２７を接続できる構造とすることにより、電源コードレスにて無線連動を行うことができる。
【００３６】
また、ガス漏れ警報器用アタッチメント２０に差し込むことができるガス漏れ警報器本体は、ジョイント式電源コネクタとの接続により、通常のガス漏れ警報器にも使用可能となる。
【００３７】
次に、無線連動回路２７による無線連動の作動状況について説明する。ガス漏れ警報器本体１において、ガス検出回路４で規定のガス濃度を検知すると、マイコン回路５へ信号が送られ、表示回路６およびブザー／音声回路７と外部出力回路８が動作し、外部出力回路８から信号が出力される。また、外部連動機器から出力された信号は、外部接続端子２６および外部出力端子９と外部出力回路８を経てマイコン回路５で受信され、マイコン回路５が、信号受信動作を表示回路６およびブザー／音声回路７へ伝えて警報動作する。
【００３８】
次に、図４は、本発明によるガス漏れ警報器と外部連動機器とによる無線連動システムの概略構成図を示す。ガス漏れ警報器の外部出力回路８から出力された信号が、外部出力端子９および外部接続端子２６を介して無線連動回路２７に伝わり、無線連動回路２７から火災警報器４１、ガスメータ４２または集中監視盤４３等の外部連動機器４０に信号が伝わり、受信した信号に応じてそれぞれの外部連動機器４０が動作する。または、外部連動機器４０からの信号を無線連動回路２７が受信し、外部接続端子２６を介してガス漏れ警報器本体１の外部出力端子９に伝えて、マイコン回路５が、受信した信号に応じて動作する。
【００３９】
次に、図５は、ガス漏れ警報器本体およびガス漏れ警報器用アタッチメントの応用例を説明する図である。図５に示すように、ガス漏れ警報器本体１と、一端に電源プラグ６１を有し他端に電源コネクタ１０とジョイント可能なコネクタ６２を有する電源コード６０を組み合わせることにより、電源コード付きのガス漏れ警報器１Ａを構成することができる。
【００４０】
また、ガス漏れ警報器本体１と、外部接続端子２６を内蔵しているが無線ユニット２７Ａおよび電源ユニット２８Ａを内蔵していないガス漏れ警報器用アタッチメント２０とを組み合わせることにより、第１の電源コードレスタイプのガス漏れ警報器１Ｂを構成することができる。
【００４１】
さらに、ガス漏れ警報器本体１と、外部接続端子２６、無線ユニット２７Ａおよび電源ユニット２８Ａを内蔵しているガス漏れ警報器用アタッチメント２０とを組み合わせることにより、無線連動可能な第２の電源コードレスタイプのガス漏れ警報器１Ｃを構成することができる。
【００４２】
このように、ガス漏れ警報器本体１と、電源コード６０またはガス漏れ警報器用アタッチメント２０とを適宜組み合わせることによって、設置環境に合わせた種々の形態のガス漏れ警報器を構成することができる。すなわち、ガス漏れ警報器本体１をガス漏れ警報器の部品として共通化できる。従来では、ガス漏れ警報器本体は、各仕様によりカスタムメイドになっており、共通化することができず、コストアップ要因になっていた。本発明では、ガス漏れ警報器用アタッチメント２０により、ガス漏れ警報器本体１をはめ込むだけで、各仕様で要求される機能を満たすことができる。また、従来のガス漏れ警報器にも使用することができ、新たにガス漏れ警報器としてのケース変更等の構造設計変更なしに、ニーズを満たすことができる。
【００４３】
以上説明した本発明によれば、ＡＣ１００Ｖ電源を接続できるガス漏れ警報器において、電源コードレスタイプのガス漏れ警報器を提供すると共に、電源プラグを設けたガス漏れ警報器用アタッチメントを提供することで、電源コードレス化によるガス漏れ警報器の美観の向上および取付板レスで施工性の向上を図ることができる。また、外部出力端子や無線連動機能を設けることで外部機器との連動が容易となる。
【００４４】
また、ジョイント式電源コネクタとの接続により、通常のガス漏れ警報器にも使用可能となり、設置環境に応じてガス漏れ警報器の設置を行うことができ、施工性の向上を図ることができる。
【００４５】
以上の通り、本発明の実施の形態について説明したが、本発明はこれに限らず、種々の変形、応用が可能である。
【図面の簡単な説明】
【００４６】
【図１】本発明のガス漏れ警報器の電気的構成を示すブロック図である。
【図２】本発明のガス漏れ警報器およびガス漏れ警報器用アタッチメントの構造を説明する略断面図である。
【図３】（Ａ）および（Ｂ）は、図２におけるガス漏れ警報器本体とガス漏れ警報器用アタッチメントの組付け方法を説明する略正面図および略側面図である。
【図４】本発明によるガス漏れ警報器と外部連動機器とによる無線連動システムの概略構成図を示す。
【図５】本発明によるガス漏れ警報器およびガス漏れ警報器用アタッチメントの応用例を説明する図である。
【図６】従来の電源コードレスタイプのガス漏れ警報器の一部を示す略図である。
【図７】従来の無線連動タイプのガス漏れ警報器の略図である。
【符号の説明】
【００４７】
１  ガス漏れ警報器本体
９  外部出力端子
１０  電源コネクタ
２０  ガス漏れ警報器用アタッチメント
２１  アタッチメント本体
２３  電源プラグ
２５  コネクタ
２６  外部接続端子
２７  無線連動回路
２７Ａ  無線ユニット
２８  電源回路
２８Ａ  電源ユニット
【図１】
2005251072.tif 000003
【図２】
2005251072.tif 000004
【図３】
2005251072.tif 000005
【図４】
2005251072.tif 000006
【図５】
2005251072.tif 000007
【図６】
2005251072.tif 000008
【図７】
2005251072.tif 000009